(57)【特許請求の範囲】
【請求項１】
着用者の胸面・腹面に装着させる前身頃部材と、上記着用者の背面に装着させる後身頃部材とを有し、上記前身頃部材は上記着用者の上記胸・腹面に対応させる前身主体部と、上記前身主体部から上記着用者の上記胸面に対応させ、さらに上記着用者の肩面のそれぞれに対応させるよう延びている一対の前身装着部とを有し、一対の上記前身装着部には紐が係止されており、上記前身主体部は上記装着者の上記腹面に対応する位置に第１の止着部材を有し、一対の上記前身装着部は第２の止着部材と第３の止着部材とを有し、上記後身頃部材は、上記着用者の背面に対応させる後身主体部と、該後身主体部の上側から上記着用者の首脇を通り左右の上記肩面のそれぞれに対応し、上記着用者の上記胸面へ対応させるように延びている一対の肩掛け部と、上記後身主体部の両側から上記着用者の脇面に対応させるように延びている一対の後身装着部とを有し、一対の上記後身装着部の先端側の内側面上には、上記第１の止着部材に重ね合わせ着脱可能に止着する第１の相手止着部材が設けられており、一対の上記肩掛け部には、上記第２の止着部材に着脱可能に止着する第２の相手止着部材が設けられており、一対の上記肩掛け部の先端側の外側面上には、上記第３の止着部材のそれぞれに一対一に着脱可能に止着する第３の相手止着部材が設けられていることを特徴とする身体防御用胴衣。
【請求項２】
請求項１記載の身体防御用胴衣において、上記前身主体部は外被によって袋形状に構成されており、上記外被は樹脂シート又は布からなり、上記前身主体部の袋形状の上記前身主体部内には防刃用もしくは防弾用の防護部材が内装されていることを特徴とする身体防御用胴衣。
【請求項３】
請求項２記載の身体防御用胴衣において、上記紐は一対の上記前身装着部の上記前面側から袋形状の上記前身主体部内へ挿通されて、前身主体部の一対の前身頃側部のそれぞれに形成されている側穴から外へ導出されていることを特徴とする身体防御用胴衣。
【請求項４】
請求項１記載の身体防御用胴衣において、上記後身頃部材の一対の上記肩掛け部及び一対の上記後身装着部には襷掛けバンド状の補強部材が設けられていることを特徴とする身体防御用胴衣。
【発明の詳細な説明】
【０００１】
【発明の属する技術分野】
本発明は、弾丸や刃物などに対して身体を防御するために用いる身体防御用胴衣に属する。
【０００２】
【従来の技術】
従来技術として、実開昭５５−１４１７９７号公報には、防弾鋼板片を個々に内蔵、配置した前身頃と後身頃とを有し、前身頃と後身頃とには、これらの脇下部端縁に取り付けられているリングに挿通されて両身頃を脇下部で絞緩する係合紐とから構成された防弾衣が開示されている。
【０００３】
この防弾衣は、頭から被る形式であるため着脱が容易であり、後身頃を両脇下部で絞緩せしめる係合紐を有するので紐の端末を引き下げるだけで両身頃が絞られ、また、緩めることによって両身頃は離隔し、頭から脱ぐことができて、その着脱が容易であるというものである。
【０００４】
【発明が解決しようとする課題】
しかしながら、防弾衣を着用している状態で、対戦相手と格闘になった場合には、防弾衣そのものが非常に重いため対戦相手に対して不利な状況となる。そこで、対戦相手と格闘になった場合には、防弾衣を脱ぎ捨てて格闘することが必要となるが、防弾衣は頭から被る形式であるため着脱が容易であっても、瞬時における状況ではやはり対戦相手に対して不利な状況となる。
【０００５】
また、防弾衣を水上で着用する必要がある場合には、通常、救命胴衣の上に防弾衣を着用するが、着用者が水中に落ちたり、やむなく水中に飛び込む必要がある場合が想定される。この場合、実際には、防弾衣の自重が救命胴衣の浮力よりも大きくなってしまうため、着用者が水中に沈んでしまう。
【０００６】
上記した従来技術に係る防弾衣は、いずれも格闘時や水上或いは水中における使用について全く考慮していない。したがって、防弾衣は迅速に脱ぎ捨てることができないという問題がある。
【０００７】
また、着用者が飛弾などで負傷している場合には、救助者が防弾衣を着用者から取り外してやる際にも、多くの時間を要してしまうという問題がある。
【０００８】
さらに、上記した問題点と同様に、少なくとも身体の頭を、防弾衣から抜き出して取り外さなければならず緊急事態に対応することができないという問題がある。
【０００９】
それ故に、本発明の課題は、緊急時の行動に対して迅速に着用者が身体から容易に脱ぎ捨てることができる身体防御用胴衣を提供することにある。
【００１０】
【課題を解決するための手段】
本発明によれば、着用者の胸面・腹面に装着させる前身頃部材と、上記着用者の背面に装着させる後身頃部材とを有し、上記前身頃部材は上記着用者の上記胸・腹面に対応させる前身主体部と、上記前身主体部から上記着用者の上記胸面に対応させ、さらに上記着用者の肩面のそれぞれに対応させるよう延びている一対の前身装着部とを有し、一対の上記前身装着部には紐が係止されており、上記前身主体部は上記装着者の上記腹面に対応する位置に第１の止着部材を有し、一対の上記前身装着部は第２の止着部材と第３の止着部材とを有し、上記後身頃部材は、上記着用者の背面に対応させる後身主体部と、該後身主体部の上側から上記着用者の首脇を通り左右の上記肩面のそれぞれに対応し、上記着用者の上記胸面へ対応させるように延びている一対の肩掛け部と、上記後身主体部の両側から上記着用者の脇面に対応させるように延びている一対の後身装着部とを有し、一対の上記後身装着部の先端側の内側面上には、上記第１の止着部材に重ね合わせ着脱可能に止着する第１の相手止着部材が設けられており、一対の上記肩掛け部には、上記第２の止着部材に着脱可能に止着する第２の相手止着部材が設けられており、一対の上記肩掛け部の先端側の外側面上には、上記第３の止着部材のそれぞれに一対一に着脱可能に止着する第３の相手止着部材が設けられていることを特徴とする身体防御用胴衣が得られる。
【００１１】
【作用】
身体防御用胴衣を着用者に着装するには、着用者の背面に後身主体部を当て、さらに肩掛け部を着用者の肩面から胸面側へ当てて、前身頃部材を着用者の胸・腹面に位置する。このとき、前身頃部材の前身装着部を胸面上の一対の肩掛け部上にへ当てる。そして、第３の止着部材と第３の相手止着部材とを重ね合わせ止着し、また第２の止着部材と第２の相手止着部材とを止着すると前身頃部材が下方へ吊り下げられた状態で保持される。
【００１２】
さらに、第１の止着部材には着用者の脇面から前面へ後身装着部を重ね合わせ、第１の相手止着部材を第１の止着部材へ止着する。この状態で、身体防御用胴衣は着用者にしっかりと装着される。
【００１３】
身体防御用胴衣を着用者が装着した際には、前身頃部材が重くなり、着用者の上体が前かがみになりやすくなるが、後身頃部材に襷掛けの補強部材があるので、着用者の肩面によって前身頃部材が重みを分散させて背負うことができる。
【００１４】
装着状態において、何等かの要因により迅速に身体防御用胴衣を脱がなければならない緊急事態が発生した場合には、前身頃装着部に取り付けた紐を引っ張ることによって迅速な身体防御用胴衣が可能である。
【００１５】
着用者が身体防御用胴衣を着用している状態から、紐を引っ張ると、前身装着部がめくれるように引っ張られ、第２の止着部材と第２の相手止着部材との止着を外し、続いて第３の止着部材と第３の相手止着部材との止着を外すことができる。そして、第１の止着部材と第１の相手止着部材とを引き剥がすと、前身頃部材を後身頃部材を取り外すことができ、同時に後身頃部材も操作を要せずに着用者から脱落し、簡単に着用者から身体防御用胴衣を何の障害もなく離脱できる。
【００１６】
【発明の実施の形態】
以下に、本発明の身体防御用胴衣の一実施の形態例を図面に基づき説明する。図１乃至図６は本発明の身体防御用胴衣の一実施の形態例を示している。
【００１７】
一実施の形態例における身体防御用胴衣は、図１乃至図４に示すように、着用者１の胸面・腹面に対応させる前身頃部材１０と、図１及び図２示すように、着用者１の背面に対応させる後身頃部材２０とを有している。
【００１８】
前身頃部材１０は着用者１の胸・腹面に対応させる前身主体部１２と、前身主体部１２の上部から着用者１の胸面に対応させ、さらに着用者１の左右の肩面のそれぞれに対応させるよう延びている一対の前身装着部１４ａ，１４ｂとを有している。
【００１９】
前身主体部１２は樹脂シート、又は布などの外被によって袋形状に構成されており、袋形状の前身主体部１２内には防刃弾丸などに対して防護できる図示しない防護部材が内装されている。したがって、前身主体部１２は刃物や弾丸が着用者１まで貫通しないように十分な防護構成となっている。前身主体部１２の前面には、装着者１の腹面に対応する位置の外被上に面形状の第１の止着部材１３が設けられている。
【００２０】
一対の前身装着部１４ａ，１４ｂは可撓性をもち、前述した外被と同様な樹脂シート、又は布などによって形成されており、前身主体部１２の外被に一端側が一体に結合されている。一対の前身装着部１４ａ，１４ｂの他端側、即ち、着用者１の肩面に対応する部分のそれぞれには、紐１６ａ，１６ｂを通す穴１５ａ，１５ｂが形成されている。穴１５ａ，１５ｂには一対の前身装着部１４ａ，１４ｂの前面側から後面側へ紐１６ａ，１６ｂの一端部分が挿通されて、これらの紐１６ａ，１６ｂが穴１５ａ，１５ｂから抜けないように係止されている。
【００２１】
紐１６ａ，１６ｂは一対の前身装着部１４ａ，１４ｂの前面側から前身主体部１２の外被内へ挿通されて、前身主体部１２の一対の前身頃側部１２ａ，１２ｂのそれぞれに形成されている側穴１２ｃ，１２ｄから外へ導出されている。一対の前身装着部１４ａ，１４ｂのそれぞれには、穴１５ａ，１５ｂの近傍に第２の止着部材１７ａ，１７ｂが設けられている。さらに、一対の前身装着部１４ａ，１４ｂには後面上に面形状の第３の止着部材１９ａ，１９ｂが設けられている。
【００２２】
後身頃部材２０は図５及び図６にも示すように、着用者１の背面に対応させる後身主体部２２と、後身主体部２２の上側から着用者１の首脇を通り左右の肩面のそれぞれに対応し、着用者１の胸面へ対応させるように延びている一対の肩掛け部２３ａ，２３ｂと、後身主体部２２の両側から着用者１の脇面に対応させるように延びている一対の後身装着部２４ａ，２４ｂとを有している。
【００２３】
後身主体部２２、一対の肩掛け部２３ａ，２３ｂ及び一対の後身装着部２４ａ，２４ｂは、これらが樹脂シート、布などによって一体に形成されており、後身頃部材２０が可撓性を有するものである。また、後身頃部材２０の一対の肩掛け部２３ａ，２３ｂ及び一対の後身装着部２４ａ，２４ｂには襷掛けバンド状の補強部材３１が設けられている。
【００２４】
一対の後身装着部２４ａ，２４ｂの先端側の内側面上には、第１の止着部材１３に着脱可能に止着する第１の相手止着部材２５ａ，２５ｂが設けられている。さらに、一対の肩掛け部２３ａ，２３ｂには、第２の止着部材１７ａ，１７ｂに着脱可能に止着する第２の相手止着部材２７ａ，２７ｂが設けられている。一対の肩掛け部２３ａ，２３ｂの先端側の外側面上には、第３の止着部材１９ａ，１９ｂのそれぞれに一対一に着脱可能に止着する第３の相手止着部材２９ａ，２９ｂが設けられている。
【００２５】
第１の止着部材１３、この第１の止着部材１３に止着する第１の相手止着部材２５ａ，２５ｂ、第２の止着部材１７ａ，１７ｂとこれら第２の止着部材１７ａ，１７ｂに止着する第２の相手止着部材２７ａ，２７ｂ、第３の止着部材１９ａ，１９ｂとこれらの第３の止着部材１９ａ，１９ｂに止着する第３の相手止着部材２９ａ，２９ｂは、これらが対向して雌雄関係で着脱可能に止着される部材であればよい。
【００２６】
これらの止着部材としては、たとえば、スナップ、ホック、左右の引っ張りに強いベルベットクロス・ファスナー、ファスナーテープ、スナップテープ、などから選択して利用すればよい。なお、本発明の身体防御用胴衣の実施の形態例におては、第１の止着部材１３、第１の相手止着部材２５ａ，２５ｂ、第３の止着部材１９ａ，１９ｂ、第３の相手止着部材２９ａ，２９ｂは、左右の引っ張りに強い面ファスナーを採用している。第２の止着部材１７ａ，１７ｂ、第２の相手止着部材２７ａ，２７ｂはスナップ、ホックを採用している。
【００２７】
なお、後身頃部材２０は後身主体部２２と一対の肩掛け部２３ａ，２３ｂとによって、図６に示したように着用者１の首を囲むような略Ｖ字もしくは略Ｕ字状になっている。
【００２８】
次に、を着用者１の胴部分に装着する装着方法について説明する。身体防御用胴衣を身体に着装するには、図６に示した後身頃部材２０を展開した状態で、着用者１の背面に後身主体部２２を当て、一対の肩掛け部２３ａ，２３ｂを着用者１の肩面から胸面側へ当てる。この状態で、一対の肩掛け部２３ａ，２３ｂは、図５に示したように、第２の相手止着部材２７ａ，２７ｂ、第３の相手止着部材２９ａ，２９ｂが表面となる。
【００２９】
次に、前身頃部材１０を着用者１の胸・腹面に位置する。このとき、前身頃部材１０の一対の前身装着部１４ａ，１４ｂを胸面上の一対の肩掛け部２３ａ，２３ｂ上にへ当てる。そして、第３の止着部材１９ａ，１９ｂと第３の相手止着部材２９ａ，２９ｂとを重ね合わせ止着し、また第２の止着部材１７ａ，１７ｂと第２の相手止着部材２７ａ，２７ｂとを止着すると、前身頃部材１０が下方へ吊り下げられた状態で保持される。
【００３０】
さらに、第１の止着部材１３には着用者１の脇面から前面へ一対の後身装着部２４ａ，２４ｂを重ね合わせ、第１の相手止着部材２５ａ，２５ｂを第１の止着部材１３へ止着する。この状態で、身体防御用胴衣は図１及び図２に示したように、着用者１にしっかりと装着される。
【００３１】
ところで、身体防御用胴衣を着用者１が装着した際には、前身頃部材１０が重くなり、着用者１の上体が前かがみになりやすくなるが、後身頃部材２０には、例えば樹脂糸を編成してバンド状に形成した襷掛けの補強部材３１があるので、着用者１の肩面によって前身頃部材１０が重みを分散させて背負うことができる。
【００３２】
装着状態において、何等かの要因により迅速に身体防御用胴衣を脱がなければならない緊急事態が発生した場合には、図１及び図２の状態から、紐１６ａ，１６ｂを引っ張ることによって迅速な身体防御用胴衣が可能である。
【００３３】
図１及び図２に示した着用者１が身体防御用胴衣を着用している状態から、一対の前身頃側部１２ａ，１２ｂの側穴１２ｃ，１２ｄから外へ導出されている紐１６ａ，１６ｂを下方へ引っ張ると、紐１６ａ，１６ｂの一端部分が穴１５ａ，１５ｂから抜けないように係止されているので、一対の前身装着部１４ａ，１４ｂがめくれるように引っ張られる。このとき、図７に示すように、第２の止着部材１７ａ，１７ｂと第２の相手止着部材２７ａ，２７ｂとの止着を外し、続いて図８に示すように、第３の止着部材１９ａ，１９ｂと第３の相手止着部材２９ａ，２９ｂとの止着を外すことができる。
【００３４】
そして、第１の止着部材１３と第１の相手止着部材２５ａ，２５ｂとを引き剥がすと、前身頃部材１０を後身頃部材２０から取り外すことができ、同時に後身頃部材２０も操作を要せずに着用者１から脱落し、簡単に着用者１から身体防御用胴衣が何の障害もなく離脱できる。
【００３５】
なお、上述した身体防御用胴衣では、前身頃部材１０、後身頃部材２０を樹脂シートや布などによって一体に縫製することが可能である。換言すれば、身体防御用胴衣は、チョッキ状に縫製され、その縫製工程において防弾、防刃を目的とする防護部材（図示せず）を着装する。このような防護部材の具体例としては、特開平５−２２２６４６号公報、特開平２−１０４６３１号公報、特開昭６３−３０９６７６号公報など多種開示されているものを使用するものとする。
【００３６】
【発明の効果】
以上、実施の形態例により説明したように、本発明の身体防御用胴衣によれば、後身頃部材の肩掛け部に前身頃部材の前身装着部を重ね合わせ止着し、第１の相手止着部材第１の止着部材へ止着するのみで着用者に着装することから、簡単な着装作業によって迅速に着装できる。
【００３７】
また、何等かの事態により迅速に着用者から離脱しなければならない場合には、紐を引っ張ると、前身装着部が引っ張られ、第２の止着部材と第２の相手止着部材との止着を外し、続いて第３の止着部材と第３の相手止着部材との止着を外すことができるので、簡単に着用者から身体防御用胴衣が何の障害もなく迅速に着用者が脱ぎ捨てることができる。
【００３８】
また、着用者が飛弾などで負傷している場合にも、救助者が身体防御用胴衣を脱がせてやることができ、水中や入水前などの状況下においても、簡単に救助者が身体防御用胴衣を着用者から取り外すことができる。
【００３９】
さらに、身体防御用胴衣を着用者が装着した際には、前身頃部材が重くなり、着用者の上体が前かがみになりやすくなるが、後身頃部材には、補強部材があるので着用者の肩面によって前身頃部材が重みを分散させて背負うことができる。
【図面の簡単な説明】
【図１】  本発明の身体防御用胴衣の一実施の形態例を示す斜視図である。
【図２】  図１の正面図である。
【図３】  図１の身体防御用胴衣の前身頃部材を示す側面図である。
【図４】  図１の身体防御用胴衣の前身頃部材を示す正面図である。
【図５】  図１の身体防御用胴衣の後身頃部材を示す正面図である。
【図６】  図５の身体防御用胴衣の後身頃部材を展開した状態の正面図である。
【図７】  図１の身体防御用胴衣を取り外す途中の状態を示す斜視図である。
【図８】  図７の状態から身体防御用胴衣の取り外しを完了する直前の状態を示す斜視図である。
【符号の説明】
１    着用者
１０    前身頃部材
１２    前身主体部
１３    第１の止着部材
１４ａ，１４ｂ    前身装着部
１６ａ，１６ｂ    紐
１７ａ，１７ｂ    第２の止着部材
１９ａ，１９ｂ    第３の止着部材
２０    後身頃部材
２２    後身主体部
２３ａ，２３ｂ    肩掛け部
２４ａ，２４ｂ    後身装着部
２５ａ，２５ｂ    第１の相手止着部材
２７ａ，２７ｂ    第２の相手止着部材
２９ａ，２９ｂ    第３の相手止着部材
【図１】
0004223626.tif 000002
【図２】
0004223626.tif 000003
【図３】
0004223626.tif 000004
【図４】
0004223626.tif 000005
【図５】
0004223626.tif 000006
【図６】
0004223626.tif 000007
【図７】
0004223626.tif 000008
【図８】
0004223626.tif 000009